(57)【特許請求の範囲】
【請求項１】
前面にプラグの差込口を有する１乃至複数の配線器具と、前記配線器具が固着されるとともに、前記配線器具の後面側を施工面に埋め込む形で施工面に直付けされる取付枠と、１乃至複数の開口窓を有し、前記各開口窓から配線器具の差込口を露出させた形で取付枠の前面を覆って取付枠に取着されるプレートと、前記プレートにスライド自在に保持されて、スライドによる開閉に応じて少なくとも１つの前記開口窓を覆い隠す１乃至複数のカバーを備え、カバーにおけるスライド方向の開口窓側の端部周縁に沿って、後方に突出する周縁リブを設けたことを特徴とする配線装置。
【請求項２】
カバーを閉成状態に付勢する復帰ばねを備えたことを特徴とする請求項１記載の配線装置。
【請求項３】
復帰ばねの端部を引掛係止する係止部をカバー及びプレートに設けたことを特徴とする請求項２記載の配線装置。
【請求項４】
各カバーのスライド幅を規制する規制手段を備えたことを特徴とする請求項２又は３記載の配線装置。
【請求項５】
規制手段は、カバー及びプレートのそれぞれに突設され、スライド方向に互いに係止する突部からなり、カバー及びプレートの少なくとも何れか一方の突部周辺部を、スライド方向と略垂直な方向に撓み自在に形成するとともに、前記両突部のうちの少なくとも何れか一方における他方と係止する面とスライド方向反対側に傾斜面を設けたことを特徴とする請求項４記載の配線装置。
【請求項６】
カバーとプレートの摺接する部位に、プレート側に突出して先端部が断面略半円状のリブを設けたこと特徴とする請求項１〜５の何れかに記載の配線装置。
【請求項７】
プレート及び取付枠のそれぞれに、互いに係合することでプレートを取付枠に取着させる複数組の係合部及び被係合部を設けるとともに、前記プレートにプレートの取付枠に対する取付位置を規制する位置決め用のリブを設けたことを特徴とする請求項１〜６の何れかに記載の配線装置。
【請求項８】
カバー前面におけるスライド方向の開口窓側の端部であって、周縁から内側に離れた部位に、前方に突出する前面側リブを設けたことを特徴とする請求項１〜７の何れかに記載の配線装置。
【請求項９】
プレート前面に、文字により表示される表示部を少なくとも１対、文字自体の形状が上下対称となるように設けたことを特徴とする請求項１〜８の何れかに記載の配線装置。
【請求項１０】
カバーのスライド方向に沿った側面に、カバーを掴んでスライドさせる指が滑るのを防止する滑り止めリブを設けたことを特徴とする請求項１〜９の何れかに記載の配線装置。
【請求項１１】
プレートにカバーをスライド自在に保持させる保持手段を備え、前記保持手段は、カバー及びプレートに設けられた互いに嵌合する嵌合片及び溝部からなり、前記溝部の隅を略円弧状に形成したことを特徴とする請求項１〜１０の何れかに記載の配線装置。
【請求項１２】
取付枠における配線器具を固着する部位を他の部位よりも後方に窪ませて取付枠を形成したことを特徴とする請求項１〜１１の何れかに記載の配線装置。
【請求項１３】
取付枠は、取付枠本体と、各配線器具を取付枠本体に対して後方にずらして取り付ける本体取付部材とからなることを特徴とする請求項１〜１１の何れかに記載の配線装置。
【請求項１４】
各配線器具は、取付枠に一部前後方向に略対向させた形で取付枠に固着され、取付枠の前記対向面に、配線器具側に向って突出し前記配線器具に当接するダボを設けたことを特徴とする請求項１〜１３の何れかに記載の配線装置。
【請求項１５】
所定の単位寸法に形成さた複数の配線器具が、カバーのスライド方向に長手方向を沿わせて配列するように取付枠に固着されることを特徴とする請求項１〜１４の何れかに記載の配線装置。
【発明の詳細な説明】
【０００１】
【発明の属する技術分野】
本発明は、コンセントやモジュラジャックなどの配線器具を備えて、これらを施工面に埋め込み配設する配線装置に関するものである。
【０００２】
【従来の技術】
従来より、モジュラジャックやコンセントなどのプラグの差込口を有する１乃至複数の配線器具を備えて、前記配線器具を机の天板などの施工面に埋め込み配設し、前記配線器具の使用の有無に応じて前記配線器具の差込口を施工面から露出させたり、隠したりする配線装置が提供されている。
【０００３】
例えば図２７（ａ）〜（ｃ）に示すように、コンセント１０’と、モジュラジャック２０’と、コンセント１０’及びモジュラジャック２０’を収納するケース７０とを備え、ケース７０の前面を机の天板から露出して配設される所謂アップコン方式の配線装置が提供されている（登録意匠番号１０９０６５８公報参照）（第一の従来例）。
【０００４】
コンセント１０’とモジュラジャック２０’は、それぞれモジュラプラグ及びコンセントプラグが差し込まれる差込口を互いに反対側に向けるとともに、前記差込口が形成されていない上蓋７１，７２をケース７０前面から露出させた形で、ケース７０内に長手方向に沿って配置されている。また、コンセント１０’とモジュラジャック２０’は、図２８に示すように、互いに向き合う一端側を支点に、差込口のある他端側がケース７０前面と略垂直な方向に回動自在となるようにケース７０に取り付けられている。
【０００５】
つまり、上記配線装置では、コンセント１０’とモジュラジャック２０’をそれぞれ使用しないときには、図２８の点線に示すように、それぞれの上蓋７１，７２をケース７０前面と略面一にして、各差込口がケース７０内部に隠れた状態となっており、それぞれの差込口に天板上のゴミなどが入るのを防いでいる。
【０００６】
そして、コンセント１０’及びモジュラジャック２０’をそれぞれ使用するときには、図２８の実線で示すように、それぞれの差込口が形成されている一端側を前方に引き出し、各差込口を露出させる。これにより、上記配線装置は各差込口にコンセントプラグＡやモジュラプラグＢを差し込み可能な状態となるのである。また、使用後は、前記プラグＡ，Ｂを引き抜いて、上蓋７１，７２を押し込みコンセント１０’及びモジュラジャック２０’をケース７０内に収納する。
【０００７】
また上述とは別に、図２９に示すように、天板９０に沿って設けられた配線ダクト９１内に２つの差込口１１’，１１’を上側に向けて配設されるコンセント１０”と、コンセント１０”を配線ダクト９１内に取り付けて固定するための取付金具８１と、コンセント１０”の前面を覆うように配線ダクト９１に取着されるコンセントカバー８２とを備えた配線装置がある（実用新案登録番号第２５２６２１４号公報参照）（第二の従来例）。
【０００８】
コンセントカバー８２は、開口部８２ａを有する基板８２ｂと、基板８２ｂに開閉自在に取着される１対のスライドキャップ８２ｃ，８２ｃとを備え、各スライドキャップ８２ｃをスライドさせて開くことで、開口部８２ａを介して配線ダクト９１内のコンセント１０”の差込口１１’を露出させ、各スライドキャップ８２ｃを上述と逆向きにスライドさせて閉じることで、開口部８２ｃを塞いで差込口１１’を覆い隠す。
【０００９】
【発明が解決しようとする課題】
しかしながら、上記第一の従来例では、コンセント１０’及びモジュラジャック２０’自体を回動させるので、構造が複雑で内部の配線も乱雑になってしまうといった問題があった。さらに、コンセント１０’及びモジュラジャック２０’のそれぞれの差込口を引き出して露出させると、前記各差込口が天板と略垂直な方向から互いに異なる向きに傾いて開口しているので、コンセントプラグＡ及びモジュラプラグＢを前記各差込口に差し込み難く、使い勝手が悪かった。
【００１０】
また、上記第二の従来例では、天板９０に埋め込んで配設するのに、配線ダクト９１内に固定されている専用のアタッチメント９３が必要で、配設するのに手間がかかってしまうといった問題があった。
【００１１】
本発明は上記問題点の解決を目的とするものであり、単純な構造で且つ施工面への配設を容易とした配線装置を提供する。
【００１２】
【課題を解決するための手段】
上記目的を達成するために、請求項１の発明は、前面にプラグの差込口を有する１乃至複数の配線器具と、前記配線器具が固着されるとともに、前記配線器具の後面側を施工面に埋め込む形で施工面に直付けされる取付枠と、１乃至複数の開口窓を有し、前記各開口窓から配線器具の差込口を露出させた形で取付枠の前面を覆って取付枠に取着されるプレートと、前記プレートにスライド自在に保持されて、スライドによる開閉に応じて少なくとも１つの前記開口窓を覆い隠す１乃至複数のカバーを備え、カバーにおけるスライド方向の開口窓側の端部周縁に沿って、後方に突出する周縁リブを設けたことを特徴とし、従来例のように配線器具自体を回動させず、各配線器具を取付枠に固着して前記取付枠を施工面に直付けすることによって、装置自体の構造を単純にすることができ、また、施工面に配設するのに、従来例のようなアタッチメントなどを要せず、施工面への配設を容易とすることができる。さらに、前記周縁リブを設けたことによって、前記差込口に差し込まれたプラグの一部がカバーの裏面側に入り込むのを防ぎ、プラグを差込口から引き抜くときに、プラグがカバーの裏面に引っ掛かって、カバーが外してしまうのを防止することができる。
【００１３】
請求項２の発明は、請求項１の発明において、カバーを閉成状態に付勢する復帰ばねを備えたことを特徴とし、前記復帰ばねを備えたことによって、ユーザーがカバーを開いて配線器具を使用した後にカバーを閉め忘れても、カバーは閉成状態に付勢されるため、カバーを閉じることができ、閉め忘れによる例えば消しゴムの粉などのゴミが配線器具の差込口に入り込むのを防ぐことができる。
【００１４】
請求項３の発明は、請求項２の発明において、復帰ばねの端部を引掛係止する係止部をカバー及びプレートに設けたことを特徴とし、前記係止部を設けたことによって、復帰ばねの前記一端を係止部に引掛けるだけで簡単に保持して外れ難くすることができる。
【００１５】
請求項４の発明は、請求項２又は３の発明において、各カバーのスライド幅を規制する規制手段を備えたことを特徴とし、例えばユーザーがカバーを大きくスライドさせようとしたときには、前記規制手段にカバーのスライド幅を規制させることによって、カバーがプレートから外れるのを防止することができるとともに、復帰ばねを過大に伸縮させずに、装置自体の破損を防ぐことができる。
【００１６】
請求項５の発明は、請求項４の発明において、規制手段は、カバー及びプレートのそれぞれに突設され、スライド方向に互いに係止する突部からなり、カバー及びプレートの少なくとも何れか一方の突部周辺部を、スライド方向と略垂直な方向に撓み自在に形成するとともに、前記両突部のうちの少なくとも何れか一方における他方と係止する面とスライド方向反対側に傾斜面を設けたことを特徴とし、例えばプレートにカバーを取り付けるときに、カバーをスライドさせて規制手段により規制されるスライド範囲の外側から前記範囲内に移動させようとした場合、カバー及びプレートの突部同士がつき合っても、前記傾斜面によって両突部に対してスライド方向と略垂直な方向に力がかかり、この力により、カバー及びプレートの少なくとも何れか一方の突部周辺部を撓ませて、他方の突部に前記一方の突部を乗り越えさせることができ、カバーをスライドさせるだけで簡単にカバーの位置を前記スライド範囲外からスライド範囲内に移して、プレートにカバーを取り付けることができる。
【００１７】
請求項６の発明は、請求項１〜５の何れかの発明において、カバーとプレートの摺接する部位に、プレート側に突出して先端部が断面略半円状のリブを設けたことを特徴とし、前記リブを設けたことによって、カバーとプレートとの摺接する面積が小さくなるため、カバーをスライドさせるときの摩擦力を軽減することができるとともに、カバーとプレートの互いに摺接する部位の間に挟まった埃などで、カバーの開閉性が影響を受けるのを抑えることができる。
【００１８】
請求項７の発明は、請求項１〜６の何れかの発明において、プレート及び取付枠のそれぞれに、互いに係合することでプレートを取付枠に取着させる複数組の係合部及び被係合部を設けるとともに、前記プレートにプレートの取付枠に対する取付位置を規制する位置決め用のリブを設けたことを特徴とし、前記位置決め用のリブを設けたことによって、プレートを取付枠に取着するときには、プレートと取付枠との位置合わせを正確に行うことができるとともに、複数組の係合部と被係合部との係合にかかる力が各組でばらつくのを抑え、プレートを取付枠から外れ難くすることができる。
【００１９】
請求項８の発明は、請求項１〜７の何れかの発明において、カバー前面におけるスライド方向の開口窓側の端部であって、周縁から内側に離れた部位に、前方に突出する前面側リブを設けたことを特徴とし、前記前面側リブを設けたことによって、ユーザーは前面側リブに指を掛けて容易にカバーをスライドさせることができ、また、ユーザーが例えばコンセントプラグの栓刃の先端部を前記前面側リブに引掛けてカバーをスライドさせたとき、仮に前面側リブがカバー前面におけるスライド方向の開口窓側の端部周縁に沿って設けられていれば、ユーザーは、前記栓刃を前面側リブに引掛けた状態で、前記開口窓から露出された配線器具の差込口に前記栓刃を自己の意図とは別に差し込んでしまうことがあり、このとき露出している栓刃に指が触れていると感電してしまうが、前面側リブをカバー前面における周縁から内側に離れた部位に設けたことによって、前記栓刃を前面側リブに引掛けた状態で、配線器具の差込口に差し込むことができず、カバーをスライドさせるときに不注意でユーザーが感電してしまうのを防ぐことができる。
【００２１】
請求項９の発明は、請求項１〜８の何れかの発明において、プレート前面に、文字により表示される表示部を少なくとも１対、文字自体の形状が上下対称となるように設けたことを特徴とし、前記表示部を文字自体の形状が上下対称となるように設けたことによって、前記プレートを取付枠に対して１８０度向きを変えて取着しても、ユーザーは表示部の内容を理解し易く、プレートの取り付ける向きに対す規制を緩和することができる。
【００２２】
請求項１０の発明は、請求項１〜９の何れかの発明において、カバーのスライド方向に沿った側面に、カバーを掴んでスライドさせる指が滑るのを防止する滑り止めリブを設けたことを特徴とし、スライド方向と略垂直な方向から挟み込むようにカバーを掴みスライドさせるようなときには、前記滑り止めリブに指を当てれば、指が滑らずに容易にカバーをスライドさせることができる。
【００２３】
請求項１１の発明は、請求項１〜１０の何れかの発明において、プレートにカバーをスライド自在に保持させる保持手段を備え、前記保持手段は、カバー及びプレートに設けられた互いに嵌合する嵌合片及び溝部からなり、前記溝部の隅を略円弧状に形成したことを特徴とし、溝部の隅を略円弧状に形成したことによって、例えば前記隅を角張って形成した場合と比べて、前記隅に溜まったゴミなどを容易に排出することができ、使い勝手を向上することができる。
【００２４】
請求項１２の発明は、請求項１〜１１の何れかの発明において、取付枠における配線器具を固着する部位を他の部位よりも後方に窪ませて取付枠を形成したことを特徴とし、取付枠における配線器具を固着する部位を他の部位よりも後方に窪ませたことによって、配線器具の前方への突出を抑えて、カバー及びプレートの施工面からの突出幅を小さくすることができる。
【００２５】
請求項１３の発明は、請求項１〜１１の何れかの発明において、取付枠は、取付枠本体と、各配線器具を取付枠本体に対して後方にずらして取り付ける本体取付部材とからなることを特徴とし、前記本体取付部材で各配線器具を後方にずらして取付枠本体に取り付けることによって、配線器具の前面側への突出を抑えて、カバー及びプレートの施工面からの突出幅を小さくすることができる。
【００２６】
請求項１４の発明は、請求項１〜１３の発明において、各配線器具は、取付枠に一部前後方向に略対向させた形で取付枠に固着され、取付枠の前記対向面に、配線器具側に向って突出し前記配線器具に当接するダボを設けたことを特徴とし、前記ダボを設けたことによって、配線器具の前後方向の取付枠に対するがたつきを抑えることができる。
【００２７】
請求項１５の発明は、請求項１〜１４の発明において、所定の単位寸法に形成さた複数の配線器具が、カバーのスライド方向に長手方向を沿わせて配列するように取付枠に固着されることを特徴とし、所定の単位寸法の配線器具を取付枠に固着させることによって、前記寸法に形成されている既存の配線器具を取付枠に固着させることができるとともに、前記複数の配線器具をカバーのスライド方向に各配線器具の長手方向を沿わせて配列させることによって、装置全体をスライド方向に細長くし、例えば机の天板などの施工面の周縁に沿わせた形で配設することができる。
【００２８】
【発明の実施の形態】
本発明の実施形態について説明する前に、本発明と共通の基本構成を有する参考例について説明する。
（参考例）
本参考例は、図１（ａ）〜（ｄ）に示すように、前面にコンセントプラグの差込口１１を有するコンセント１０と、前面にモジュラプラグの差込口２１を有するモジュラジャック２０と、コンセント１０及びモジュラジャック２０が固着されるとともに、コンセント１０及びモジュラジャック２０の各後面側を例えば机の天板などの施工面に埋め込む形で施工面に直付けされる取付枠３０と、２つの開口窓４２を有し、各開口窓４２からコンセント１０の差込口１１及びモジュラジャック２０の差込口２１をそれぞれ各別に露出させた形で取付枠３０の前面を覆って取付枠３０に取着されるプレート４０と、プレート４０にスライド自在に保持されて、スライドによる開閉に応じてプレート４０の何れか一方の開口窓４２を覆い隠す２つのスライドカバー５０と、各スライドカバー５０を閉成状態に付勢する２つの復帰ばね１（図１２参照）とを備えている。
【００２９】
コンセント１０は、合成樹脂製のボディ１０ａ及びカバー１０ｂからなる器体と、ボディ１０ａ及びカバー１０ｂを結合する金属製の組立枠１３と、器体の内部に収納される刃受ばね（図示せず）とを備えている。上述の差込口１１は、カバー１０ｂに突設されたボス部１２の前面側に設けられた１対の栓刃挿入口１１ａ，１１ａからなる。コンセントプラグをコンセント１０に差し込み接続するときには、コンセントプラグ先端側に設けられた平行平板状の１対の栓刃を、それぞれ栓刃挿入口１１ａ，１１ａに各別に挿入して器体内部の刃受ばねに接続させる。また、前記器体は、日本工業規格（ＪＩＳ）で規格化された大角形連用配線器具の１個モジュール寸法（ＪＩＳ  Ｃ  ８３０４参照）に形成されている。なお、このようなコンセントの構造は従来周知であるから図示並びに説明は省略する。
【００３０】
モジュラジャック２０は、合成樹脂製のボディ２０ａ及びカバー２０ｂからなる器体と、器体内部に収納される複数のコンタクト（図示せず）とを備えている。上述の差込口２１は、カバー２０ｂに突設されたボス部２２の前面側に設けられ、略矩形状に形成されている。ここで、ボス部２２の差込口２１内側には、ボス部２２内面に沿ってスライド自在に、差込口２１を開閉する扉２３が設けられている。モジュラプラグをモジュラジャック２０に差し込み接続するときには、前記扉２３をスライドさせて差込口２１を開き、この差込口２１にモジュラプラグを挿入し、モジュラプラグの複数の接触子をモジュラジャック２０の器体内部に収納されている前記複数のコンタクトに各別に接触させる。また、コンセント１０の器体と同様、モジュラジャック２０の器体は、前記規格で規格化された大角形連用配線器具の１個モジュール寸法に形成されている。なお、このようなモジュラジャックの構造は従来周知であるから図示並びに説明は省略する。
【００３１】
取付枠３０は、図２（ａ），（ｂ）に示すように、全体的に細長略矩形平板状の一枚の金属板からなり、取付枠３０の前面略中央部には絞り加工により凹所３１ａが設けられている。また、この取付枠３０の凹所３１ａには、コンセント１０及びモジュラジャック２０のそれぞれの器体を各別に挿入する略矩形状の取付窓３１，３１が、それぞれの長手方向を取付枠３０の長手方向に沿わせて、取付枠３０の長手方向に沿って配列するように形成されている。さらに、取付枠３０の長手方向両端側には、施工面に取り付けるためのねじが挿通されるねじ挿通孔３５と、取付枠３０長手方向外側に突出して、先端側が基端側よりも幅狭な舌片３６と、プレート４０の後述する係合爪部４１と係合してプレート４０を取付枠３０に取着させる係合片３７，３７とが設けられている。この係合片３７，３７はそれぞれ、取付枠３０周縁部における舌片３６を取付枠３０の短手方向に挟む部位から前方に突出するように、金属板を折り曲げて形成されており、各係合片３７には係合孔３７ａが穿設されている。
【００３２】
取付枠３０における各取付窓３１を長手方向に挟んで略対向する両周縁部には、それぞれコンセント１０の組立枠１３に設けられた枠取付孔１４（図３参照）、モジュラジャック２０のボス部２２両側面に設けられた枠取付孔（図示せず）と係合する係合爪３２ａ，３２ｂがそれぞれ設けられている。このうち一方の係合爪３２ｂは、幅細の支持片３３で取付枠３０の短手方向両側から支持される。すなわち、コンセント１０を取付枠３０に固着する際には、図３に示すように、取付枠３０の何れか一方の取付窓３１にコンセント１０のボス部１２を取付枠３０の裏面側から挿入し、係合爪３２ａを先にコンセント１０の枠取付孔１４に係合させ、ドライバ等の工具を使って支持片３３を取付窓３１側へ押し曲げることにより、コンセント１０の枠取付孔１４に係合爪３２ｂを係合させてコンセント１０を取付枠３０に固着するようになっている。また、モジュラジャック２０を取付枠３０に固着する際にも、上述のコンセント１０を取付枠３０に固着するときと同様、取付枠３０の何れか一方の取付窓３１にモジュラジャック２０のボス部２２を取付枠３０の裏面側から挿入し、係合爪３２ａを先にモジュラジャック２０の枠取付孔に係合させ、次に支持片３３を押し曲げてモジュラジャック２０の枠取付孔に係合爪３２ｂを係合させてモジュラジャック２０を取付枠３０に固着させる。
【００３３】
上述のように本参考例では、規格化された大角形連用配線器具の１個モジュール寸法に形成さたコンセント１０及びモジュラジャック２０を取付枠３０に固着させるので、コンセント１０及びモジュラジャック２０を取付枠３０専用に設けることなく、前記１個モジュール寸法に形成されている既存のコンセント１０及びモジュラジャック２０を取付枠３０に固着させることができる。
【００３４】
そして、上述のようにコンセント１０及びモジュラジャック２０を取付枠３０に固着したときには、コンセント１０及びモジュラジャック２０が取付枠３０の長手方向に、それぞれの長手方向を沿わせて配列するとともに、コンセント１０の各組立枠１３前面と、モジュラジャック２０のカバー２０ｂ両側部の前面とが、それぞれ取付枠３０の各係合爪３２ａ，３２ｂ周辺部に前後方向に略対向した形となる。
【００３５】
ところで、取付枠３０にコンセント１０を固着したとき、組立枠１３の枠取付孔１４の前後方向の幅が、係合爪３２ａ，３２ｂの厚みよりも大きいと、コンセント１０が取付枠３０に対してがたつき易くなってしまうことがある。また、モジュラジャック２０についても、上述と同様、カバー２０ｂの枠取付孔の幅が大きいとがたつき易くなってしまう。
【００３６】
そこで参考例では、取付枠３０の係合爪３２ａ，３２ｂ周辺部に、コンセント１０の各組立枠１３前面側、又はモジュラジャック２０の両側部前面側に向って突出して、それぞれに当接するダボ３８を例えば打ち出し加工により設けている。
【００３７】
例えばコンセント１０の場合、図４に示すように、組立枠１３の枠組立孔１４の前後方向の幅ｈが係合爪３２ｂの厚みｗよりも大きくても、ダボ３８を設けたことによって、幅ｈと厚みｗとのギャップｇをダボ３８の突出幅で補い、ダボ３８の先端部が組立枠１３前面側に当接して、コンセント１０の取付枠３０に対する前後方向のがたつきを抑えることができる。
【００３８】
一方、プレート４０は、図５に示すように、合成樹脂製であって細長の略平板状に形成されており、プレート４０の長手方向略中央部には前方に膨出する膨出部４３がプレート４０短手方向に沿って形成されている。そして上述の開口窓４２，４２は膨出部４３を挟んだ位置にあって、それぞれ略矩形状に形成されている。
【００３９】
また、プレート４０における各開口窓４２の膨出部４３と反対側には、略Ｔ字状の溝孔４４が形成されており、プレート４０の各溝孔４４周辺には前方側に突出して、スライドカバー５０の後述するカバー側突部５４に係止する１対のプレート側突部４４ａが形成されている。ここで、プレート４０のプレート側突部４４ａ周辺部は、上述の溝孔４４によってプレート４０と略垂直な方向に撓み自在となり、前記周辺部の撓みにより、プレート側突部４４ａは前後方向に変位する。
【００４０】
さらに、プレート４０における各溝孔４４の膨出部４３側周辺部には、復帰ばね１の一端を引掛係止する断面略コ字状の係止部４８（図１２参照）が、一方の開放端を前面側から溝孔４４に臨ませるように形成されている。
【００４１】
プレート４０裏面の長手方向両端側には、図６に示すように、１対の突片４１ａが後方に突設され、この突片４１ａの先端部には内側に向って突出し、取付枠３０の係合片３７に係合する係合爪部４１が形成されている。さらに、プレート４０裏面の前記両端側には、プレート４０の取付枠３０に対する取付位置を規制する位置決め用リブ４５が設けられている。この位置決め用リブ４５は、プレート４０短手方向に沿って後方に突出するように形成され、長手方向略中央部には凹部４５ａが凹設されている。
【００４２】
そこで、上述のプレート４０を取付枠３０に取着するときには、図７に示すように、取付枠３０の前面側にプレート４０の裏面側を略対向させ、プレート４０を取付枠３０側に押し当てる。このとき、プレート４０の各係合爪部４１に設けられた傾斜面が、取付枠３０の係合片３７に当接することで、プレート４０の各突片４１ａがそれぞれ外側に撓み、位置決め用リブ４５の凹部４５ａに舌片３６が嵌め込まれたときには、各係合爪部４１が係合片３７の係合孔３７ａ周辺に係合する。これにより、プレート４０が取付枠３０に取着される。ここで、プレート４０の２つの位置決め用リブ４５が、プレート４０の取付枠３０に対する取付位置を規制している。すなわち、上述のようにプレート４０を取付枠３０に押し当てるとき、取付枠３０の各舌片３６先端側の幅狭部３６ａが位置決め用リブ４５の凹部４５ａに嵌め込まれ、各舌片３６基端側の幅広部３６ｂが位置決め用リブ４５に内側から当接するような状態としなければ、各係合爪部４１を係合片３７に係合させることができないようにしているのである。
【００４３】
これにより、例えば位置決め用リブ４５の内側の面と、舌片３６の幅広部３６ｂの先端との隙間ｌの範囲が規制され、プレート４０と取付枠３０との位置合わせを正確に行うことができるとともに、４組の係合爪部４１と係合片３７との係合にかかる力が各組でばらつくのを抑え、プレート４０を取付枠３０から外れ難くすることができる。
【００４４】
ところで、プレート４０の前面には、図５に示すように、ユーザに対して注意を促すような例えば「プラグは確実に差し込むこと」などの文字により表示される表示部４６が、プレート４０短手方向に各開口窓４２を挟んで１対、それぞれ文字自体の形状が上下対称となるように設けられている。例えば上述と異なって、表示部４６を一つだけ設けた場合には、プレート４０を取付枠３０に対して１８０度向きを変えて取着すると、表示部４６の向きが逆になってユーザーは表示部４６を見てもその内容を理解し難くなるため、プレート４０の取り付ける向きが規制されることとなる。しかし、上述のように、表示部４６を上下対称となるように１対づつ設けたことによって、プレート４０を取付枠３０に対して１８０度向きを変えて取着したときにも、ユーザーは表示部４６の内容を理解し易く、プレート４０の取り付ける向きに対する規制を緩和することができる。
【００４５】
さらにプレート４０の長手方向に沿った両側部には、図８に示すように、スライドカバー５０の後述する嵌合片５１と嵌合する溝部４７が、それぞれ膨出部４３を間に挟んでプレート４０長手方向に沿って設けられている。ここで本参考例では、嵌合片５１及び溝部４７から保持手段を構成し、この保持手段によりスライドカバー５０をプレート４０にスライド自在に保持させている。
【００４６】
そして溝部４７の長手方向外側の一端は外部に開放され、膨出部４３側の一端側は閉じられた状態となっている。ここで本参考例では、図９に示すように、溝部４７の閉じられた一端側の隅を略円弧状に形成している。これにより、例えば前記隅を角張って形成した場合と比べて、前記隅に溜まったゴミなどを、図９の矢印で示す方向に容易に排出することができ、使い勝手を向上することができるのである。
【００４７】
スライドカバー５０は、プレート４０前面の膨出部４３によって二分された一方を覆うように形成され、膨出部４３側を除く周部に形成された周壁５２をプレート４０前面側に向けた状態で長手方向に沿ってスライド自在にプレート４０に保持される。
【００４８】
スライドカバー５０の長手方向に沿った周壁５２の先端側には、図１０に示すように、前述のプレート４０の溝部４７に嵌合する嵌合片５１が内向きに突設されており、また、プレート４０前面と摺接する周壁５２の周縁部には、プレート４０前面側に突出して断面略半円状の先端部を有するスライドリブ５３が設けられている。さらに、スライドカバー５０裏面における長手方向の周壁５２が形成されている一端側には、復帰ばね１の一端を引掛係止する略柱状の係止部５５が設けられ、他端側には、プレート４０側に向って突出する１対２組のカバー側突部５４が設けられている。
【００４９】
上述のような各スライドカバー５０は、図１１に示すように、前述の嵌合片５１を上述のプレート４０の溝部４７に嵌合させるとともに、スライドリブ５３をプレート４０前面に当接させ、図１２に示すように、復帰ばね１の両端をそれぞれスライドカバー５０の係止部５５とプレート４０の係止部４８に引掛けた状態で、プレート４０に保持される。
【００５０】
このように保持されたスライドカバー５０，５０を、図１（ｃ）に示すように、長手方向外側にスライドさせて開いたときには、コンセント１０の差込口１１及びモジュラジャック２０の差込口２１がプレート４０の開口窓４２を介して露出した状態となり、上述とは逆に、スライドカバー５０，５０を、図１（ａ）に示すように、長手方向内側にスライドさせて閉じたときには、プレート４０の膨出部４３を除く前面がスライドカバー５０で覆い隠されて、コンセント１０の差込口１１及びモジュラジャック２０の差込口２１も隠れた状態となる。
【００５１】
ここで、上記スライドリブ５３によって、スライドカバー５０とプレート４０との摺接する面積が小さくなるので、スライドカバー５０をスライドさせるときの摩擦力を軽減することができる。また、スライドカバー５０の周壁５２とプレート４０前面との間に挟まった埃などで、スライドカバー５０の開閉性が影響を受けるのを抑えることができるのである。
【００５２】
さらに、各スライドカバー５０の前面におけるスライド方向の開口窓４２側つまり膨出部４３側の端部には、前方に突出する前面側リブ５７がスライドカバー５０の短手方向に沿って設けられているので、ユーザーはこの前面側リブ５７に指を掛けてスライドカバー５０を容易にスライドさせることができる。
【００５３】
またさらに、上述のような復帰ばね１を備えたことによって、例えば図１３（ａ）に示すように、コンセントプラグＡをコンセント１０に差し込むために、スライドカバー５０をスライドさせて開くと、スライドカバー５０の係止部５５が、プレート４０の係止部４８から離れる方向に移動するので、復帰ばね１はスライド方向に伸びてスライドカバー５０を閉成状態に付勢する。即ち、ユーザーが、コンセントプラグＡをコンセント１０から引き抜いたときには、スライドカバー５０を閉め忘れても、図１２（ｂ）に示すように、復帰ばね１のばね力によりスライドカバー５０をスライドさせて閉じることができる。また、スライドカバー５０の閉め忘れによる例えば消しゴムの粉などのゴミが、コンセント１０の差込口１１に入り込むのを防ぐことができる。
【００５４】
また本参考例では、上述の係止部５５，４８をプレート４０及び各スライドカバー５０に設けたことによって、各復帰ばね１の伸縮方向の両端をそれぞれ各係止部５５，４８に引掛けるだけで簡単に保持して外れ難くすることができる。またさらに、各係止部５５，４８の先端部には、図１４に示すように、それぞれフック５５ａ，４８ａが形成されている。その結果、復帰ばね１の両端をさらに外れ難くすることができる。
【００５５】
ところで、スライドカバー５０に設けられた１対２組のカバー側突部５４は、スライドカバー５０が閉じた状態にあるときには、図１５の点線に示すように、各組毎にプレート４０のプレート側突部４４ａとスライド方向に距離を空けて略対向し、スライドカバー５０を開くようにスライドさせると、図１５の矢印に示すように、プレート側突部４４ａ側に移動し、コンセント１０又はモジュラジャック２０の差込口１１，２１を露出させた状態になったときには、１対２組のカバー側突部５４が各組毎にプレート側突部４４ａに係止する。
【００５６】
このように本参考例では、カバー側突部５４及びプレート側突部４４ａからスライドカバー５０のスライド幅を規制する規制手段を構成し、例えばユーザーがスライドカバー５０を開こうとして必要以上に大きく外側にスライドさせようとしたときには、規制手段のカバー側突部５４とプレート側突部４４ａが係止することでスライドカバー５０のスライド幅が規制され、復帰ばね１が過大に伸びるのを防止し、装置自体の破損を防ぐことができる。また、スライドカバー５０がプレート４０から外れるのを防ぐことができる。
【００５７】
上述のように本参考例では、従来例のようにコンセントやモジュラジャックなどの配線器具自体を回動させず、コンセント１０及びモジュラジャック２０を取付枠３０に固着して取付枠３０を施工面に直付けすることによって、装置自体の構造を単純にすることができる。また、コンセント１０及びモジュラジャック２０の差込口１１，２１がそれぞれ施工面と略垂直な方向に開口しているのでコンセントプラグやモジュラプラグの差し込みが容易となる。さらに、施工面に配設するのに、従来例のようにアタッチメントなどを要せず、コンセント１０及びモジュラジャック２０が固着された取付枠３０を施工面に直付けし、取付枠３０に２つのスライドカバー５０，５０を保持するプレート４０を取着するだけなので、施工面への配設を容易とすることができる。また、その結果、配設にかかる時間を短縮することができる。
【００５８】
また、取付枠３０に凹所３１ａを設けて、取付枠３０の開口窓３１，３１周辺部を他の部位よりも後方に窪ませていることによって、コンセント１０及びモジュラジャック２０の前方側への突出を抑え、図１６に示すように、取付枠３０の窪ませた幅Ｌ分だけ、スライドカバー５０及びプレート４０の施工面からの突出幅を小さくすることができる。
【００５９】
またさらに、コンセント１０及びモジュラジャック２０をスライドカバー５０のスライド方向に、それぞれの長手方向を沿わせて配列させていることによって、装置全体をスライド方向に細長くし、例えば机の天板などの周縁に沿わせた形で配設することができる。
【００６０】
ところで、スライドカバー５０をプレート４０に取り付けるときには、スライドカバー５０の周壁５２が形成されていない一端側からスライドカバー５０の嵌合片５１をプレート４０の溝部４７に嵌合させ、規制手段により規制されるスライド範囲の外側から前記範囲内にスライドカバー５０をスライドさせる。
【００６１】
ここで、図１５に示すように、カバー側突部５４及びプレート側突部４４ａのそれぞれには互いに係止する面とスライド方向反対側に、傾斜面５４ｂ，４４ｂが形成されている。
【００６２】
すなわち、スライドカバー５０をプレート４０に取り付けるため、上述のように、スライドカバー５０をスライドさせようとする場合、図１７（ａ）に示すように、スライドカバー５０及びプレート４０のカバー側突部５４とプレート側突部４４ａとがつき合ってしまうこととなるが、前記傾斜面５４ｂ，４４ｂによって、両突部５４，４４ａに対してスライド方向と略垂直な方向、つまり前後方向に力がかかる。その結果、図１７（ｂ）に示すように、プレート４０のプレート側突部４４ａ周辺部が後方に撓んでプレート側突部４４ａが後方に変位し、図１７（ｃ）に示すように、カバー側突部５４にプレート側突部４４ａを乗り越えさせることができる。これにより、スライドカバー５０をスライドさせるだけで簡単にスライドカバー５０の位置を前記スライド範囲外からスライド範囲内に移し、スライドカバー５０を取り付けることができる。
【００６３】
ところで、ユーザーがスライドカバー５０をスライドさせてコンセント１０の差込口１１を露出させ、コンセントプラグＡの栓刃Ａ１，Ａ１を差込口１１に差し込む場合、ユーザーは栓刃Ａ１の先端部を前面側リブ５７に引掛けてスライドカバー５０をスライドさせ、コンセント１０の差込口１１を露出させることがある。
【００６４】
このような場合に、図１８に示すように、スライドカバー５０前面におけるスライド方向の開口窓４２側つまり膨出部４３側の周縁に、前面側リブ５７’が設けられていると、図１９に示すように、ユーザーは栓刃Ａ１を前面側リブ５７’に引掛けた状態で、自己の意図とは別に栓刃Ａ１を差込口１１に差し込んでしまうことがあり、このとき露出している栓刃Ａ１に指が触れていると感電してしまう。
【００６５】
そこで本参考例では、図１（ａ）に示すように、スライドカバー５０前面におけるスライド方向の開口窓４２側の端部であって、周縁から内側に離れた部位に前面側リブ５７を設けたことによって、上述のようにユーザーが栓刃Ａ１を前面側リブ５７に引掛けてスライドカバー５０をスライドさせても、図２０に示すように、栓刃Ａ１を前面側リブ５７に引掛けた状態でコンセント１０の差込口１１に差し込むことができず、スライドカバー５０をスライドするときに不注意でユーザーが感電してしまうのを防ぐことができる。
（実施形態１）
ところで、コンセント１０及びモジュラジャック２０に差し込まれるコンセントプラグやモジュラジャックには種々の形状がある。
【００６６】
例えばコンセントプラグには、栓刃を保持する保持部の先端側に、差込方向と略垂直な方向に突出する鍔部を有するものがあり、この鍔部における差込方向の厚みもコンセントプラグによって様々である。
【００６７】
例えば図２１及び図２２に示すように、コンセントプラグＡに設けられた上述の鍔部Ａ２における差込方向の厚みが小さいと、コンセントプラグＡをコンセント１０に差し込んだとき、鍔部Ａ２がスライドカバー５０の裏面側に入り込んでしまうことがある。
【００６８】
このような場合に、ユーザーがスライドカバー５０を外側にスライドさせずにコンセントプラグＡをコンセント１０から引き抜こうとすると、鍔部Ａ２がスライドカバー５０に引っ掛かって、スライドカバー５０が外れてしまうことがある。
【００６９】
そこで本実施形態では、図２３及び図２４に示すように、各スライドカバー５０におけるスライド方向の開口窓４２側つまり膨出部４３側の端部周縁に沿って、後方に突出する周縁リブ５６を設けている。
【００７０】
この周縁リブ５６によって、鍔部Ａ２がスライドカバー５０の裏面側に入り込むのを防ぎ、コンセントプラグＡを差込口１１から引き抜くときに、鍔部Ａ２がスライドカバー５０の裏面側に引っ掛かって、スライドカバー５０が外れていまうのを防止することができる。
（実施形態２）
本実施形態における基本構成は実施形態１と共通するために共通する部分については同一の符号を付して説明を省略し、本実施形態の特徴となる部分についてのみ詳細に説明する。
【００７１】
本実施形態では、図２５（ａ），（ｂ）に示すように、スライドカバー５０のスライド方向に沿った周壁５２に、スライドカバー５０を掴んでスライドさせる指が滑るのを防止する複数の滑り止めリブ５８を設けている。
【００７２】
これにより、スライド方向と略垂直な方向から挟み込むようにスライドカバー５０を掴んでスライドさせるようなときには、滑り止めリブ５８に指を当てれば、指が滑らずに容易にスライドカバー５０をスライドさせることができる。
（実施形態３）
本実施形態における基本構成は実施形態１，２と共通するために共通する部分については同一の符号を付して説明を省略し、本実施形態の特徴となる部分についてのみ詳細に説明する。
【００７３】
本実施形態の取付枠３０は、図２６に示すように、一枚の金属板からなる取付枠本体３０ａと、コンセント１０及びモジュラジャック２０を取付枠本体３０ａに取り付けるための本体取付部材たる合成樹脂製の２つの中枠３０ｂとからなる。
【００７４】
取付枠本体３０ａは、参考例及び実施形態１，２の取付枠３０において凹所３１ａを設けずに各取付窓３１をそれぞれ大きくしたような形状に形成されており、取付枠本体３０ａの各取付窓３１周縁部に上述の中枠３０ｂが取り付けられる。
【００７５】
中枠３０ｂは、全体的に略矩形枠状に形成されており、この中枠３０ｂにはコンセント１０の組立枠１３から側方に突設された係止爪１５や、モジュラジャック１０のカバー２０ｂから側方に突設された係止爪２５を係止する係止孔３０ｃが設けられている。
【００７６】
そこで、取付枠３０にコンセント１０及びモジュラジャック２０を取り付けるときには、各中枠３０ｂの開口部に後方からコンセント１０やモジュラジャック２０のボス部１２，２２を挿入し、各係止爪１５，２５を上述の係止孔３０ｃに係止させる。
【００７７】
ここで、中枠３０ｂの係止孔３０ｃは、取付枠本体３０ａよりも幅Ｌ１だけ後方に位置しているので、上述のように取付枠３０にコンセント１０及びモジュラジャック２０を取り付けたときには、コンセント１０及びモジュラジャック２０は取付枠本体３０ａに対して後方にずれて取り付けられる。
【００７８】
これにより、参考例及び実施形態１，２と同様、コンセント１０及びモジュラジャック２０の前方への突出を抑えて、スライドカバー５０及びプレート４０の施工面からの突出幅をＬ１だけ小さくすることができる。
【００７９】
なお、参考例及び実施形態１，２では取付枠３０を一枚の金属板から形成しているので、本実施形態と比べて部品点数を減らして組立作業性を向上することができる。
【００８０】
【発明の効果】
請求項１の発明は、前面にプラグの差込口を有する１乃至複数の配線器具と、前記配線器具が固着されるとともに、前記配線器具の後面側を施工面に埋め込む形で施工面に直付けされる取付枠と、１乃至複数の開口窓を有し、前記各開口窓から配線器具の差込口を露出させた形で取付枠の前面を覆って取付枠に取着されるプレートと、前記プレートにスライド自在に保持されて、スライドによる開閉に応じて少なくとも１つの前記開口窓を覆い隠す１乃至複数のカバーを備えたので、従来例のように配線器具自体を回動させず、各配線器具を取付枠に固着して前記取付枠を施工面に直付けすることによって、装置自体の構造を単純にすることができ、また、施工面に配設するのに、従来例のようなアタッチメントなどを要せず、施工面への配設を容易とすることができるという効果がある。さらに、カバーにおけるスライド方向の開口窓側の端部周縁に沿って、後方に突出する周縁リブを設けたので、前記差込口に差し込まれたプラグの一部がカバーの裏面側に入り込むのを防ぎ、プラグを差込口から引き抜くときに、プラグがカバーの裏面に引っ掛かって、カバーが外してしまうのを防止することができるという効果がある。
【００８１】
請求項２の発明は、カバーを閉成状態に付勢する復帰ばねを備えたので、前記復帰ばねを備えたことによって、ユーザーがカバーを開いて配線器具を使用した後にカバーを閉め忘れても、カバーは閉成状態に付勢されるため、カバーを閉じることができ、閉め忘れによる例えば消しゴムの粉などのゴミが配線器具の差込口に入り込むのを防ぐことができるという効果がある。
【００８２】
請求項３の発明は、復帰ばねの端部を引掛係止する係止部をカバー及びプレートに設けたので、復帰ばねの前記一端を係止部に引掛けるだけで簡単に保持して外れ難くすることができるという効果がある。
【００８３】
請求項４の発明は、各カバーのスライド幅を規制する規制手段を備えたので、例えばユーザーがカバーを大きくスライドさせようとしたときには、前記規制手段にカバーのスライド幅を規制させることによって、カバーがプレートから外れるのを防止することができるとともに、復帰ばねを過大に伸縮させずに、装置自体の破損を防ぐことができるという効果がある。
【００８４】
請求項５の発明は、規制手段は、カバー及びプレートのそれぞれに突設され、スライド方向に互いに係止する突部からなり、カバー及びプレートの少なくとも何れか一方の突部周辺部を、スライド方向と略垂直な方向に撓み自在に形成するとともに、前記両突部のうちの少なくとも何れか一方における他方と係止する面とスライド方向反対側に傾斜面を設けたので、例えばプレートにカバーを取り付けるときに、カバーをスライドさせて規制手段により規制されるスライド範囲の外側から前記範囲内に移動させようとした場合、カバー及びプレートの突部同士がつき合っても、前記傾斜面によって両突部に対してスライド方向と略垂直な方向に力がかかり、この力により、カバー及びプレートの少なくとも何れか一方の突部周辺部を撓ませて、他方の突部に前記一方の突部を乗り越えさせることができ、カバーをスライドさせるだけで簡単にカバーの位置を前記スライド範囲外からスライド範囲内に移して、プレートにカバーを取り付けることができるという効果がある。
【００８５】
請求項６の発明は、カバーとプレートの摺接する部位に、プレート側に突出して先端部が断面略半円状のリブを設けたので、前記リブを設けたことによって、カバーとプレートとの摺接する面積が小さくなるため、カバーをスライドさせるときの摩擦力を軽減することができるとともに、カバーとプレートの互いに摺接する部位の間に挟まった埃などで、カバーの開閉性が影響を受けるのを抑えることができるという効果がある。
【００８６】
請求項７の発明は、プレート及び取付枠のそれぞれに、互いに係合することでプレートを取付枠に取着させる複数組の係合部及び被係合部を設けるとともに、前記プレートにプレートの取付枠に対する取付位置を規制する位置決め用のリブを設けたので、プレートを取付枠に取着するときには、プレートと取付枠との位置合わせを正確に行うことができるとともに、複数組の係合部と被係合部との係合にかかる力が各組でばらつくのを抑え、プレートを取付枠から外れ難くすることができるという効果がある。
【００８７】
請求項８の発明は、カバー前面におけるスライド方向の開口窓側の端部であって、周縁から内側に離れた部位に、前方に突出する前面側リブを設けたので、ユーザーは前面側リブに指を掛けて容易にカバーをスライドさせることができ、また、ユーザーが例えばコンセントプラグの栓刃の先端部を前記前面側リブに引掛けてカバーをスライドさせたとき、仮に前面側リブがカバー前面におけるスライド方向の開口窓側の端部周縁に沿って設けられていれば、ユーザーは、前記栓刃を前面側リブに引掛けた状態で、前記開口窓から露出された配線器具の差込口に前記栓刃を自己の意図とは別に差し込んでしまうことがあり、このとき露出している栓刃に指が触れていると感電してしまうが、前面側リブをカバー前面における周縁から内側に離れた部位に設けたことによって、前記栓刃を前面側リブに引掛けた状態で、配線器具の差込口に差し込むことができず、カバーをスライドさせるときに不注意でユーザーが感電してしまうのを防ぐことができるという効果がある。
【００８９】
請求項９の発明は、プレート前面に、文字により表示される表示部を少なくとも１対、文字自体の形状が上下対称となるように設けたので、前記プレートを取付枠に対して１８０度向きを変えて取着しても、ユーザーは表示部の内容を理解し易く、プレートの取り付ける向きに対す規制を緩和することができるという効果がある。
【００９０】
請求項１０の発明は、カバーのスライド方向に沿った側面に、カバーを掴んでスライドさせる指が滑るのを防止する滑り止めリブを設けたので、スライド方向と略垂直な方向から挟み込むようにカバーを掴みスライドさせるようなときには、前記滑り止めリブに指を当てれば、指が滑らずに容易にカバーをスライドさせることができるという効果がある。
【００９１】
請求項１１の発明は、プレートにカバーをスライド自在に保持させる保持手段を備え、前記保持手段は、カバー及びプレートに設けられた互いに嵌合する嵌合片及び溝部からなり、前記溝部の隅を略円弧状に形成したので、例えば前記隅を角張って形成した場合と比べて、前記隅に溜まったゴミなどを容易に排出することができ、使い勝手を向上することができるという効果がある。
【００９２】
請求項１２の発明は、取付枠における配線器具を固着する部位を他の部位よりも後方に窪ませて取付枠を形成したので、配線器具の前方への突出を抑えて、カバー及びプレートの施工面からの突出幅を小さくすることができるという効果がある。
【００９３】
請求項１３の発明は、取付枠は、取付枠本体と、各配線器具を取付枠本体に対して後方にずらして取り付ける本体取付部材とからなるので、配線器具の前面側への突出を抑えて、カバー及びプレートの施工面からの突出幅を小さくすることができるという効果がある。
【００９４】
請求項１４の発明は、各配線器具は、取付枠に一部前後方向に略対向させた形で取付枠に固着され、取付枠の前記対向面に、配線器具側に向って突出し前記配線器具に当接するダボを設けたので、配線器具の前後方向の取付枠に対するがたつきを抑えることができるという効果がある。
【００９５】
請求項１５の発明は、所定の単位寸法に形成さた複数の配線器具が、カバーのスライド方向に長手方向を沿わせて配列するように取付枠に固着されるので、所定の単位寸法の配線器具を取付枠に固着させることによって、前記寸法に形成されている既存の配線器具を取付枠に固着させることができるとともに、前記複数の配線器具をカバーのスライド方向に各配線器具の長手方向を沿わせて配列させることによって、装置全体をスライド方向に細長くし、例えば机の天板などの施工面の周縁に沿わせた形で配設することができるという効果がある。
【図面の簡単な説明】
【図１】  参考例を示す（ａ）は正面図、（ｂ）は側面図、（ｃ）はスライドカバーを開けた状態での正面図、（ｄ）は他の側面図である。
【図２】  同上の取付枠を示す（ａ）は正面図、（ｂ）は側面図である。
【図３】  同上のコンセントと取付枠を示す要部側面断面図である。
【図４】  同上のコンセントと取付枠の係合状態を示す要部側面断面図である。
【図５】  同上のプレートの正面図である。
【図６】  同上のプレートの背面図である。
【図７】  同上の取付枠とプレートの要部側面断面図である。
【図８】  同上のプレートの他の要部正面図である。
【図９】  同上のプレートの溝部を示す要部正面断面図である。
【図１０】  同上のスライドカバーの背面図である。
【図１１】  同上のプレートの溝部とスライドカバーの嵌合片との嵌合を示す要部断面斜視図である。
【図１２】  同上のスライドカバーとプレートと復帰ばねを示す要部側面断面図である。
【図１３】  同上の（ａ）はコンセントプラグをコンセントに差し込んだ状態を示す要部側面断面図、（ｂ）はコンセントプラグをコンセントから引き抜いた状態を示す要部側面断面図である。
【図１４】  同上の復帰ばねと係止部とを示す分解斜視図である。
【図１５】  同上のカバー側突部とプレート側突部との係止状態を示す要部斜視図である。
【図１６】  同上の説明用の側面図である。
【図１７】  （ａ）〜（ｃ）は同上のカバー側突部とプレート側突部を示す説明用の要部断面側面図である。
【図１８】  同上の比較説明するための他の配線装置の正面図である。
【図１９】  同上の比較説明するためのコンセントプラグを差し込む状態を示す他の配線装置の要部側面断面図である。
【図２０】  同上のコンセントプラグを差し込む状態を示す要部側面断面図である。
【図２１】  同上の他のコンセントフラグを差し込んだ状態を示す要部側面断面図である。
【図２２】  同上の他の要部側面断面図である。
【図２３】  実施形態１を示すコンセントプラグを差し込んだ状態を示す要部側面断面図である。
【図２４】  同上の他の要部側面断面図である。
【図２５】  実施形態２を示す（ａ）は正面図、（ｂ）は側面図である。
【図２６】  実施形態３を示す側面断面図である。
【図２７】  従来例を示す（ａ）は側面図、（ｂ）は正面図、（ｃ）は他の側面図である。
【図２８】  同上のコンセントプラグ及びモジュラプラグを差し込んだ状態を示す要部側面断面図である。
【図２９】  他の従来例を示す分解斜視図である。
【符号の説明】
１０  コンセント
２０  モジュラジャック
３０  取付枠
４０  プレート
５０  スライドカバー
【図１】
0003711904.tif 000002
【図２】
0003711904.tif 000003
【図３】
0003711904.tif 000004
【図４】
0003711904.tif 000005
【図５】
0003711904.tif 000006
【図６】
0003711904.tif 000007
【図７】
0003711904.tif 000008
【図８】
0003711904.tif 000009
【図９】
0003711904.tif 000010
【図１０】
0003711904.tif 000011
【図１１】
0003711904.tif 000012
【図１２】
0003711904.tif 000013
【図１３】
0003711904.tif 000014
【図１４】
0003711904.tif 000015
【図１５】
0003711904.tif 000016
【図１６】
0003711904.tif 000017
【図１７】
0003711904.tif 000018
【図１８】
0003711904.tif 000019
【図１９】
0003711904.tif 000020
【図２０】
0003711904.tif 000021
【図２１】
0003711904.tif 000022
【図２２】
0003711904.tif 000023
【図２３】
0003711904.tif 000024
【図２４】
0003711904.tif 000025
【図２５】
0003711904.tif 000026
【図２６】
0003711904.tif 000027
【図２７】
0003711904.tif 000028
【図２８】
0003711904.tif 000029
【図２９】
0003711904.tif 000030